(57)【特許請求の範囲】
【請求項１】
太陽の放射熱を吸収して内部に流通される熱媒体を加熱する太陽熱コレクタを屋根に設置してなる太陽熱コレクタの設置構造であって、
前記屋根の野地板に、カバー部材が前記野地板との間に空間を有するようにして設けられ、
前記カバー部材の軒先側の端部と前記野地板との間の隙間から屋根葺き材の基端部が前記空間に挿入され、
前記屋根葺き材の上面の少なくとも一部に当該屋根葺き材の基端部側から被さる水切りがその基端部を前記空間に位置する前記野地板に固定されて設けられ、
前記空間に、前記太陽熱コレクタがその軒先側の端部を前記水切りの上方に位置するようにして設けられ、
前記空間に位置する前記野地板に、支持金具がその支持部を前記水切りの上方に位置するようにして固定され、
前記支持金具の支持部によって、前記太陽熱コレクタの軒先側の端部が支持されていることを特徴とする太陽熱コレクタの設置構造。
【請求項２】
請求項１に記載の太陽熱コレクタの設置構造において、
前記カバー部材は、板ガラス、太陽電池モジュール、シースルー型太陽電池モジュールのうちの少なくとも一つを有して構成されていることを特徴とする太陽熱コレクタの設置構造。
【請求項３】
請求項１または２に記載の太陽熱コレクタの設置構造において、
前記屋根の野地板に、当該屋根の棟側から軒先側に向けて延びる複数の支持レールが棟方向に所定間隔をもって設けられ、
隣り合う前記支持レール間に、前記カバー部材がその側縁部を隣り合う前記支持レールに支持された状態でかつ前記野地板との間に空間を有するようにして設けられていることを特徴とする太陽熱コレクタの設置構造。
【請求項４】
請求項３に記載の太陽熱コレクタの設置構造において、
前記支持レールに同一サイズの複数の前記カバー部材が支持されており、各カバー部材の下方にそれぞれ同一サイズの前記太陽熱コレクタが設けられ、複数の前記太陽熱コレクタどうしが接続されていることを特徴とする太陽熱コレクタの設置構造。
【請求項５】
請求項４に記載の太陽熱コレクタの設置構造において、
互いに接続されている前記太陽熱コレクタ間に固定金具が配置されており、この固定金具によって、太陽熱コレクタどうしの対向する端部が前記野地板に固定されていることを特徴とする太陽熱コレクタの設置構造。
【発明の詳細な説明】
【技術分野】
【０００１】
本発明は、太陽熱コレクタの設置構造に関する。
【背景技術】
【０００２】
太陽の放射熱を吸収して、内部に流通される熱媒体を加熱する太陽熱コレクタを屋根に設置してなる太陽熱コレクタの設置構造の一例として、特許文献１に記載のものが知られている。
この太陽熱コレクタの設置構造は、屋根の野地板にレール状の支持部材を一対互いに平行となるように敷設し、これらの支持部材の間に太陽熱コレクタを配置し、この太陽熱コレクタを覆う透明パネルを前記一対の支持部材に架け渡して取付けたことを特徴としている。
また、屋根における太陽熱コレクタの周囲の部分は、太陽電池パネルおよび屋根葺き材により覆われている。太陽電池パネルは、透明パネルの透明板の代わりに太陽電池板を備えたもので、透明パネルと全く同一の固定構造により、レール状の支持部材に支持されるようになっている。
屋根葺き材は、透明パネルと同一の幅を有するもので、透明パネルと同様に、両端縁がレール状の支持部材に支持されるようになっている。
透明パネル、太陽電池パネル、屋根葺き材は、支持部材を介して野地板に取り付けることにより、透明パネル、太陽電池パネル、屋根葺き材の各上面が同一面を形成するようになっている。
【先行技術文献】
【特許文献】
【０００３】
【特許文献１】特開平７−１８０３１２号公報
【発明の概要】
【発明が解決しようとする課題】
【０００４】
ところで、屋根葺き材を支持部材を介して野地板に取り付けるのではなく、直接、屋根の野地板に取り付ける場合、太陽熱コレクタを覆う透明パネル（カバー材）と野地板との間の、屋根の軒先側の隙間から屋根葺き材の基端部を挿入し、この屋根葺き材の上面に当該屋根葺き材の基端部側から被さる水切りを、前記カバー材の下方に位置する野地板に固定して設けることによって、カバー材の上面を流れる雨水を屋根の軒先側に流すようにすればよい。
このように、屋根葺き材の基端部や水切りの基端部がカバー材と野地板との間の隙間から挿入されているので、太陽熱コレクタが前記屋根葺き材の基端部や水切りの基端部と干渉するのを避けるために、太陽熱コレクタの軒先側の端部を前記屋根葺き材の基端部や水切りの基端部より屋根の棟側に後退させて配置する必要がある。このため、太陽熱コレクタを短くする必要があり、その結果、太陽熱コレクタの能力が低下してしまう。
【０００５】
本発明は上記事情に鑑みてなされたもので、太陽熱コレクタを短くすることなく、屋根葺き材や水切りとの干渉を避けることができる太陽熱コレクタの設置構造を提供することを課題としている。
【課題を解決するための手段】
【０００６】
上記課題を解決するために、請求項１に記載の発明は、例えば図１および図８等に示すように、太陽の放射熱を吸収して内部に流通される熱媒体を加熱する太陽熱コレクタ２を屋根１に設置してなる太陽熱コレクタの設置構造であって、
前記屋根１の野地板５に、カバー部材１０が前記野地板５との間に空間Ｓを有するようにして設けられ、
前記カバー部材１０の軒先側の端部と前記野地板５との間の隙間から屋根葺き材１５の基端部が前記空間Ｓに挿入され、
前記屋根葺き材１５の上面の少なくとも一部に当該屋根葺き材１５の基端部側から被さる水切り１６がその基端部１６ａを前記空間Ｓに位置する前記野地板５に固定されて設けられ、
前記空間Ｓに、前記太陽熱コレクタ２がその軒先側の端部を前記水切り１６の上方に位置するようにして設けられ、
前記空間Ｓに位置する前記野地板５に、支持金具２０がその支持部２０ｄを前記水切り１６の上方に位置するようにして固定され、
前記支持金具２０の支持部２０ｄによって、前記太陽熱コレクタ２の軒先側の端部が支持されていることを特徴とする。
【０００７】
請求項１に記載の発明によれば、カバー部材１０と野地板５との間の空間に、太陽熱コレクタ２がその軒先側の端部を水切り１６の上方に位置するようにして設けられ、前記空間Ｓに位置する野地板５に、支持金具２０がその支持部２０ｄを水切り１６の上方に位置するようにして固定され、支持金具２０の支持部２０ｄによって、前記太陽熱コレクタ２の軒先側の端部が支持されているので、太陽熱コレクタ２を短くすることなく、当該太陽熱コレクタ２の端部が屋根葺き材１５や水切り１６と干渉するのを避けることができる。
【０００８】
請求項２に記載の発明は、請求項１に記載の太陽熱コレクタの設置構造において、
前記カバー部材１０は、板ガラス１１、太陽電池モジュール、シースルー型太陽電池モジュールのうちの少なくとも一つを有して構成されていることを特徴とする。
【０００９】
請求項２に記載の発明によれば、カバー部材１０が太陽電池モジュールやシースルー型太陽電池モジュールを有して構成されている場合、太陽熱コレクタ２の効率が若干低下するが、太陽熱コレクタ２による給湯と太陽電池による給電との双方を容易に実現できる。
また、カバー部材１０が板ガラス１１を有して構成されている場合、太陽電池モジュールやシースルー型太陽電池モジュールで構成されている場合に比して、太陽熱コレクタ２による効率が良くなる。
【００１０】
請求項３に記載の発明は、例えば図２および図４に示すように、請求項１または２に記載の太陽熱コレクタの設置構造において、
前記屋根１の野地板５に、当該屋根１の棟側から軒先側に向けて延びる複数の支持レール８が棟方向に所定間隔をもって設けられ、
隣り合う前記支持レール８,８間に、前記カバー部材１０がその側縁部を隣り合う前記支持レール８,８に支持された状態でかつ前記野地板５との間に空間Ｓを有するようにして設けられていることを特徴とする。
【００１１】
請求項３に記載の発明によれば、屋根１の野地板５に設けられた支持レール８,８間に、カバー部材１０がその側縁部を隣り合う前記支持レール８,８に支持された状態でかつ前記野地板５との間に空間Ｓを有するようにして設けられているので、カバー部材１０を野地板５の上方において確実に支持できる。
【００１２】
請求項４に記載の発明は、例えば図２に示すように、請求項３に記載の太陽熱コレクタの設置構造において、
前記支持レール８に同一サイズの複数の前記カバー部材１０が支持されており、各カバー部材１０の下方にそれぞれ同一サイズの前記太陽熱コレクタ２が設けられ、複数の前記太陽熱コレクタ２どうしが接続されていることを特徴とする。
【００１３】
請求項４に記載の発明によれば、支持レール８に同一サイズの複数のカバー部材１０が支持されており、各カバー部材１０の下方にそれぞれ同一サイズの太陽熱コレクタ２が設けられているので、カバー部材１０と太陽熱コレクタ２の数を適宜設定することによって、屋根の大きさに適合した太陽熱コレクタの設置構造を提供できる。
【００１４】
請求項５に記載の発明は、例えば図１、図９、図１０に示すように、請求項４に記載の太陽熱コレクタの設置構造において、
互いに接続されている前記太陽熱コレクタ２,２間に固定金具２５が配置されており、この固定金具２５によって、太陽熱コレクタ２,２どうしの対向する端部が前記野地板５に固定されていることを特徴とする。
【００１５】
請求項５に記載の発明によれば、太陽熱コレクタ２,２どうしの対向する端部が、固定金具２５によって野地板５に固定されているので、複数の太陽熱コレクタ２を野地板５の所定に位置にずれることなく確実に固定できる。
【発明の効果】
【００１６】
本発明によれば、カバー部材と野地板との間の空間に、太陽熱コレクタがその軒先側の端部を水切りの上方に位置するようにして設けられ、前記空間に位置する野地板に、支持金具がその支持部を水切りの上方に位置するようにして固定され、支持金具の支持部によって、前記太陽熱コレクタの軒先側の端部が支持されているので、太陽熱コレクタを短くすることなく、当該太陽熱コレクタの端部が屋根葺き材や水切りと干渉するのを避けることができる。
【図面の簡単な説明】
【００１７】
【図１】本発明に係る太陽熱コレクタの設置構造の一例を示すもので、その要部の側断面図である。
【図２】同、（ａ）は平面図、（ｂ）は側面図、（ｃ）は端面図である。
【図３】同、（ａ）は太陽熱コレクタの平面図、（ｂ）は図３（ａ）におけるＡ−Ａ線断面図、（ｃ）は図３（ａ）におけるＢ円部の拡大図である。
【図４】同、要部の正断面図である。
【図５】同、隣り合うカバー部材どうしの接合部を示す側断面図である。
【図６】同、屋根の棟側における要部の側断面図である。
【図７】同、屋根の軒先側における要部の側断面図である。
【図８】同、屋根の軒先側における要部の斜視図である。
【図９】同、隣り合う太陽熱コレクタの接続部の側断面図である。
【図１０】同、隣り合う太陽熱コレクタの接続部の斜視図である。
【発明を実施するための形態】
【００１８】
以下、図面を参照して本発明に係る太陽熱コレクタの設置構造の一例について説明する。
図１は本実施の形態の太陽熱コレクタの設置構造を示す側断面図であり、図１において符号１は屋根を示す。屋根１は棟から軒先に向けて傾斜する傾斜屋根であり、当該屋根１に太陽熱コレクタ２が以下のようにして設置されている。
【００１９】
すなわちまず、太陽熱コレクタ２は、図２に示すように、屋根１の棟側から軒先側に向けて複数配置されており、隣り合う太陽熱コレクタ２,２は接続されている。なお、図２では、複数の太陽熱コレクタ２・・・を棟側から軒先側に向けて１列配置した状態を示しているが、２列以上配置してもよい。
太陽熱コレクタ２は、図３に示すように、左右に平行離間する２本のヘッダ管２ａ,２ａと、これらヘッダ管２ａ,２ａ間に配置されて、ヘッダ管２ａ,２ａどうしを接続する複数の細管２ｂ・・・とを備えており、ヘッダ管２ａと細管２ｂとは内部が連通している。細管２ｂは銅管によって形成されており、この細管２ｂには集熱フィン２ｃの略中央部が取り付けられている。集熱フィン２ｃは、細管２ｂの長手方向に長尺な薄板状のものであり、隣り合う集熱フィン２ｃ,２ｃどうしは互いに係合している。また、集熱フィン２ｃの幅方向中央部は半円弧状に湾曲しており、この湾曲した部分に細管２ｂの外周部が係合している。
また、ヘッダ管２ａの一方の端部は閉塞されており、他方の端部は後述する接続管２３を接続可能となっている。接続管２３は、図２、図９、図１０等に示すように、隣り合う太陽熱コレクタ２,２のヘッダ管２ａ,２ａを接続するものである。
このような太陽熱コレクタ２では、太陽の放射熱を集熱フィン２ｃが吸収し、その熱が細管２ｂに伝達され、細管２ｂを流れる水等の熱媒体が加熱されるようになっている。
【００２０】
図１および図２に示すように、屋根１は、垂木４に野地板５を取り付けてなる傾斜屋根であり、野地板５は合板等の面材によって形成されている。また、野地板５の表面にはアスファルトルーフィング等の防水シートが貼り付けられている。
なお、本実施の形態では、屋根１は、周知のパネル工法で使用される屋根パネルによって構成されている。屋根パネルは框材を矩形枠状に組み立ててなる枠体の内部に必要に応じて補強桟材を縦横に組み付け、さらに枠体の表面に合板等の面材を取り付けてなるものである。したがって、屋根パネルの長手方向に沿う框材が前記垂木４を構成し、面材が前記野地板５を構成している。
【００２１】
屋根１の野地板５の表面には、図４に示すように、屋根１の棟側から軒先側に向けて延びる（図１においては紙面と直交する方向に延びる）複数の支持レール８・・・が棟方向（図４において左右方向）に所定間隔をもって設けられている。支持レール８は、上面に受け部８ａを有しており、下部がビスＢ１によって野地板５に固定されている。受け部８ａの両側には樋部８ｂ,８ｂが受け部８ａより低くして形成されている。
【００２２】
隣り合う支持レール８,８間には、カバー部材１０がその側縁部を隣り合う支持レール８,８に支持された状態でかつ野地板５との間に空間Ｓを有するようにして設けられている。
すなわち、カバー部材１０は、透明または半透明な板ガラス１１を有して構成されており、この板ガラス１１の周縁部には、該周縁部を囲む四角枠状のフレーム９が設けられている。
フレーム９は、屋根１の傾斜方向に沿って左右に配置される一対の縦枠部９Ａと、これら縦枠部９Ａの上下端部を接続し、かつ、屋根１の棟と平行に配置される上枠部９Ｂおよび下枠部９Ｃとを備えている（図５参照）。これら縦枠部９Ａ、上枠部９Ｂおよび下枠部９Ｃによって板ガラス１１の防水および補強がなされている。
【００２３】
上枠部９Ｂは、図５および図６に示すように、アルミニウムの押出成形等により一体成形され、屋根１の棟と平行な方向（図５および図６において紙面と直交する方向）に延びる長尺部材であり、略断面略四角筒状に形成され、軒先側を向く側面には、板ガラス１１が嵌め込まれる溝部が上下一対の突出片９１Ｂ,９１Ｂの間に形成されている。また、上枠部９Ｂの端部は縦枠部９Ａの端部と接合されている。
下枠部９Ｃは、図５および図７に示すように、アルミニウムの押出成形等により一体成形され、屋根１の棟と平行な方向（図５および図７において紙面と直交する方向）に延びる長尺部材であり、略断面Ｌ字型の筒状に形成され、棟側を向く側面には、板ガラス１１が嵌め込まれる溝部が上下一対の突出片９１Ｃ,９１Ｃの間に形成されている。また、下枠部９Ｃの端部は縦枠部９Ａの端部と接合されている。
また、図５に示すように、互いに隣接する上枠部９Ｂと下枠部９Ｃとは互いに係合しており、図２および図６に示すように、最も棟側に近い上枠部９Ｂは前記支持レール８の棟側の端部より軒先側に配置され、図２および図７に示すように、最も軒先側に近い下枠部９Ｃは前記支持レール８の軒先側の端部より棟側に配置されている。
【００２４】
縦枠部９Ａ,９Ａは、図４に示すように、断面略Ｌ字型の長尺部材であり、左右に離間して配置されている。縦枠部９Ａ,９Ａの対向する縦片部には、板ガラス１１が嵌め込まれる溝部が上下一対の突出片９１Ａ,９１Ａの間に形成されている。
また、縦枠部９Ａは、支持レール８の上に当該支持レール８に沿って配置されており、当該縦枠部９Ａの横片部が支持レール８の受け部８ａに設置され、ビスＢ２によって固定されている。
受け部８ａには、左右（棟方向）に隣り合う板ガラス１１,１１がそれぞれ嵌め込まれた２つの縦枠部９Ａ,９Ａが設置されており、これら縦枠部９Ａ,９Ａの上面には、蓋部材１２が縦枠部９Ａ,９Ａ間を塞ぐようにしてビスＢ３によって受け部８ａに固定されている。
【００２５】
上記のような、フレーム９と板ガラス１１を有して構成されたカバー部材１０は、支持レール８の長手方向に沿って、複数、例えば５個程度配置されており、各カバー部材１０のサイズは等しくなっている。また、各カバー部材１０の下方にそれぞれ同一サイズの前記太陽熱コレクタ２が設けられている。
【００２６】
なお、本実施の形態では、カバー部材１０として、板ガラス１１を有して構成されたものを使用したが、これに代えて、カバー部材１０として、太陽電池モジュールまたはシースルー型太陽電池モジュールを有して構成されたものを使用してもよい。この場合、太陽電池モジュールまたはシースルー型太陽電池モジュールのサイズを、板ガラス１１と等しいサイズとし、これらを前記フレーム９にはめ込むことによって、太陽電池モジュールまたはシースルー型太陽電池モジュールをカバー部材１０として容易に使用できる。
【００２７】
図１および図７に示すように、最も軒先側に配置されているカバー部材１０の軒先側の端部と野地板５との間の隙間から屋根葺き材１５の基端部が前記空間Ｓに挿入されている。この屋根葺き材１５は、最も軒先側に配置されているカバー部材１０に近い位置に配置されているものであり、この屋根葺き材１５より軒先側には他の屋根葺き材１５ａが配置されている。
また、屋根葺き材１５の上面の一部には、当該屋根葺き材１５の先端部を残して、屋根葺き材１５の基端部側から被さる水切り１６がその基端部１６ａを前記空間Ｓに位置する野地板５に固定されて設けられている。
水切り１６の基端部１６ａは野地板５に釘打ちによって固定されており、この基端部１６ａから傾斜部１６ｂが野地板５から離間するようにして斜めに延び、さらにこの傾斜部１６ｂの先端から水切本体１６ｃが屋根葺き材１５の上面と平行に延びている。水切本体１６ｃの先端部には折返し部１６ｄが形成されており、この折返し部１６ｄが屋根葺き材１５の先端部の上面に当接されている。
このような水切り１６は基端部１６ａと傾斜部１６ｂと水切本体１６ｃの基端部が前記空間Ｓに位置しており、水切本体１６ｃの先端部が空間Ｓから軒先側に突出している。
【００２８】
また、最も軒先側に配置されているカバー部材１０の前方（軒先側）には、面戸部材１７が設けられている。なお、図７では面戸部材１７は省略してある。この面戸部材１７は、前記支持レール８の先端部および水切本体１６ｃの先端部より上方に配置され、軒先側に向けて下方に傾斜している。面戸部材１７の基端部は前記カバー部材１０の下枠部９Ｃに固定され、先端部は水切本体１６ｃより前方において屋根葺き材１５の上面に当接している。
最も軒先側に配置されている太陽熱コレクタ２は、野地板５と平行ではなく、棟側に向かうほど、野地板５に近づくように傾斜して配置されている。そして、この太陽熱コレクタ２の棟側の端部に位置するヘッダ管２ａは野地板５にほぼ当接するようにして配置されている。なお、この太陽熱コレクタ２より棟側に位置する他の太陽熱コレクタ２は野地板５にほぼ当接するようにして、当該野地板５と平行に配置されている。
【００２９】
前記空間Ｓに位置する野地板５には、支持金具２０がその支持部２０ｄを水切り１６の上方に位置するようにして固定されている。
支持金具２０は、図１、図７および図８に示すように、固定部２０ａと、この固定部２０ａから直角に立ち上がる立上り部２０ｂと、この立上り部２０ｂの上端から固定部２０ａと平行に軒先側に向けて延びる延出部２０ｃと、この延出部２０ｃの先端部に形成されて、太陽熱コレクタ２の軒先側の端部を支持する支持部２０ｄとから一体的に構成されている。
固定部２０ａは水切り１６の基端部１６ａに上方から重ねられたうえで、釘２１によって基端部１６ａと一緒に野地板５に固定されている。立上り部２０ｂは水切り１６を越えて太陽熱コレクタ２の直下まで立上り、延出部２０ｃは太陽熱コレクタ２の軒先側の端部近傍まで延びている。
支持部２０ｄは断面コ字形に形成されており、水切り１６の上方に位置している。支持部２０ｄの内側に太陽熱コレクタ２のヘッダ管２ａが挿通されており、これによって、ヘッダ管２ａは支持部２０ｄによって、水切り１６の上方で支持されている。
【００３０】
太陽熱コレクタ２は屋根１の棟側から軒先側にかけて複数配置され、隣り合う太陽熱コレクタ２,２どうしは互いに接続されている。
すなわち、図２、図９、図１０に示すように、隣り合う太陽熱コレクタ２,２のヘッダ管２ａ,２ａの端部には、それぞれ平面視略コ字形の接続管２３の端部がそれぞれ接続されている。
また、図２、図１０等に示すように、複数の太陽熱コレクタ２・・・の側方には、太陽熱コレクタ２・・・の接続方向に延在する配管２４が設けられており、この配管２４の一方の端部は、最も軒先側に位置する太陽熱コレクタ２のヘッダ管２ａの端部に接続され、配管２４の他方の端部は、最も棟側に位置する太陽熱コレクタ２の側方において、下方に曲げられ、野地板５を貫通して建物内に通じている。
また、最も棟側に位置する太陽熱コレクタ２のヘッダ管２ａの端部には、建物内から野地板５を貫通して設けられた配管２２が接続されている。
したがって、複数の太陽熱コレクタ２・・・では、最も棟側に位置する太陽熱コレクタ２のヘッダ管２ａに配管２２を通して熱媒体である水が供給され、この水が各太陽熱コレクタ２に接続管２３を通して供給されて、各太陽熱コレクタ２で加熱され、最も軒先側に位置する太陽熱コレクタ２のヘッダ管２ａから配管２４を通して再び建物内に戻されるようになっている。
【００３１】
また、接続管２３によって互いに接続されている太陽熱コレクタ間に固定金具２５が配置されており、この固定金具２５によって、太陽熱コレクタ２,２どうしの対向する端部が野地板５に固定されている。
すなわち、図１、図９、図１０に示すように、まず、固定金具２５は、第１固定金具２６と第２固定金具２７とによって構成されている。
第１固定金具２６は、平板状の固定部２６ａと、この固定部２６ａの両端部に形成された断面コ字形の保持部２６ｂ,２６ｂとから構成されている。保持部２６ｂ,２６ｂは上方に向けて開口しており、当該保持部２６ｂ,２６ｂに、隣り合う太陽熱コレクタ２,２の端部に位置するヘッダ管２ａ,２ａの略中央部が挿通されている。また、固定部２６ａは野地板５にビス止めによって固定されている。また、保持部２６ｂを構成する外側の壁部には、切欠きが形成されており、この切欠きに太陽熱コレクタ２の細管２ｂが挿通されている。
第２固定金具２７は、平板状の固定部２７ａと、この固定部２７ａの両端部に形成された断面Ｌ型の押え部２７ｂ,２７ｂとから構成されている。押え部２７ｂの一片は、保持部２６ｂの開口を塞ぐように、保持部２６ｂの底面と平行に配置されており、上方からヘッダ管２ａを押えて、ヘッダ管２ａの保持部２６ｂからの逸脱を防止している。
また、固定部２７ａは固定部２６ａに上方から重ねられ、固定部２６ａと一緒に野地板５にビス止めされている。
【００３２】
本実施の形態によれば、カバー部材１０と野地板５との間の空間Ｓに、太陽熱コレクタ２がその軒先側の端部を水切り１６の上方に位置するようにして設けられ、前記空間Ｓに位置する野地板５に、支持金具２０がその支持部２０ｄを水切り１６の上方に位置するようにして固定され、支持金具２０の支持部２０ｄによって、太陽熱コレクタ２の軒先側の端部が支持されているので、太陽熱コレクタ２を短くすることなく、当該太陽熱コレクタ２の端部が屋根葺き材１５や水切り１６と干渉するのを避けることができる。
また、屋根１の野地板５に設けられた支持レール８,８間に、カバー部材１０がその側縁部を隣り合う支持レール８,８に支持された状態でかつ野地板５との間に空間Ｓを有するようにして設けられているので、カバー部材１０を野地板５の上方において確実に支持できる。
また、支持レール８,８に同一サイズの複数のカバー部材１０・・・が支持されており、各カバー部材１０の下方にそれぞれ同一サイズの太陽熱コレクタ２が設けられているので、カバー部材１０と太陽熱コレクタ２の数を適宜設定することによって、屋根１の大きさに適合した太陽熱コレクタの設置構造を提供できる。
さらに、太陽熱コレクタ２,２どうしの対向する端部が、固定金具２５によって野地板５に固定されているので、複数の太陽熱コレクタ２・・・を野地板５の所定に位置にずれることなく確実に固定できる。
【００３３】
また、カバー部材１０が板ガラス１１を有して構成されているので、太陽電池モジュールやシースルー型太陽電池モジュールで構成されている場合に比して、太陽熱コレクタ２による効率が良くなる。
なお、カバー部材１０が太陽電池モジュールやシースルー型太陽電池モジュールを有して構成されている場合、太陽熱コレクタ２による効率が若干低下するが、太陽熱コレクタ２による給湯と太陽電池による給電との双方を容易に実現できる。
【符号の説明】
【００３４】
１  屋根
２  太陽熱コレクタ
５  野地板
８  支持レール
１０  カバー部材
１１  板ガラス
１５  屋根葺き材
１６  水切り
２０  支持金具
２０ｄ  支持部
２５  固定金具
Ｓ  空間
【図１】
0005718834.tif 000002
【図２】
0005718834.tif 000003
【図３】
0005718834.tif 000004
【図４】
0005718834.tif 000005
【図５】
0005718834.tif 000006
【図６】
0005718834.tif 000007
【図７】
0005718834.tif 000008
【図８】
0005718834.tif 000009
【図９】
0005718834.tif 000010
【図１０】
0005718834.tif 000011